(57)【要約】【課題】冷却ファンを用いて装置内部を冷却する画像形成装置を提供する。【解決手段】制御部１０は、通信部１５が外部の装置から取得した１つの印刷ジョブに基づいて画像形成部１７に印刷を実行させている間、冷却ファン２０を連続して回転させる。制御部１０は、画像形成部１７による印刷の実行中に次の印刷ジョブを取得した場合、又は印刷が終了した時点から所定時間が経過するまでに次の印刷ジョブを取得した場合、全ての印刷ジョブに基づく印刷が完了するまでの間、冷却ファン２０を連続して回転させる。制御部１０は、印刷の開始に基づいて回転させた冷却ファン２０の回転を停止させた後、所定時間が経過するまでの間は冷却ファン２０の回転を開始させない。【選択図】図１
2008292679.tif 000002
【特許請求の範囲】
【請求項１】
印刷ジョブを取得する取得手段と、該取得手段が取得した印刷ジョブに基づいて画像の形成を実行する形成手段と、冷却ファンと、該冷却ファンを回転させる駆動手段と、前記冷却ファンの回転を開始及び停止させるように前記駆動手段を制御する制御手段とを備える画像形成装置において、
前記制御手段は、前記形成手段が１つの印刷ジョブに基づいて画像の形成を実行している間、前記冷却ファンを連続して回転させるように前記駆動手段を制御する構成としてあることを特徴とする画像形成装置。
【請求項２】
前記制御手段は、印刷ジョブに基づく画像の形成が終了した後の前記冷却ファンの回転中に前記取得手段が印刷ジョブを取得した場合、前記冷却ファンを継続して回転させるように前記駆動手段を制御する構成としてあることを特徴とする請求項１に記載の画像形成装置。
【請求項３】
印刷ジョブに基づく画像の形成が終了した後に前記制御手段が前記冷却ファンの回転を停止させるように前記駆動手段を制御した場合に所定時間の計時を開始する計時手段を備え、
前記制御手段は、前記計時手段が所定時間の計時を終了する前に前記取得手段が印刷ジョブを取得した場合、前記計時手段が所定時間の計時を終了した後に前記冷却ファンの回転を開始させるように前記駆動手段を制御する構成としてあることを特徴とする請求項１又は２に記載の画像形成装置。
【請求項４】
前記駆動手段は、前記冷却ファンを複数の回転速度のいずれかひとつで回転させるように構成されており、
前記制御手段は、前記形成手段が印刷ジョブに基づいて画像の形成を実行する場合、前記複数の回転速度のうちの遅い回転速度で前記冷却ファンを回転させるように前記駆動手段を制御する構成としてあることを特徴とする請求項１乃至３のいずれかひとつに記載の画像形成装置。
【発明の詳細な説明】
【技術分野】
【０００１】
本発明は、取得した印刷ジョブに基づいて画像の形成を実行する画像形成装置に関し、特に冷却ファンを用いて装置内部を冷却する画像形成装置に関する。
【背景技術】
【０００２】
複写機、プリンタ、ファクシミリ装置等の装置は、原稿から読み取った画像データ、又は外部から受信した画像データに基づく画像を記録紙に形成する画像形成装置を備えている。画像形成装置は、例えば電子写真プロセスを採用している。具体的には、画像形成装置は、帯電させた感光体ドラムに対して、取得した画像データに基づいて露光することにより感光体ドラム上に静電潜像を形成し、この静電潜像にトナーを供給してトナー像を形成する。そして、感光体ドラム上に形成されたトナー像を転写器によって記録紙上に転写し、転写されたトナー像を定着器によって記録紙に定着させ、記録紙上に画像を形成する。
【０００３】
このような画像形成装置において、定着器は、転写器によって記録紙上に転写されたトナー像を熱及び圧力によって記録紙に定着させるので、画像形成装置が画像の形成を実行している間は装置内部が非常に高温になる。また、画像形成装置は、定着器だけでなく、感光体ドラム、転写器、電源回路及びモータ等の発熱部材を多数有しており、画像形成装置の動作時には、これらの周辺も高温になる。従って、画像形成装置には、装置内部の熱を装置外部へ排出するための冷却ファンが設けられている場合が多い。
【０００４】
また、コロナ転写方式の転写器を採用した画像形成装置は、搬送されてくる記録紙にコロナチャージャによって高電圧を印加するが、このときのコロナチャージャの放電によってオゾンが発生する。装置内部のオゾン濃度が上昇した場合、形成された画像の画質が低下する等の問題が生じるため、発生したオゾンを装置外部へ放出することが望ましい。特許文献１には、装置内部で発生したオゾンを装置外部へ排出するためのファンを備えた画像形成装置が開示されている。特許文献１に開示された装置によれば、ファンの回転数、駆動させるファンの数、装置外部へ排出される空気の通路面積を適切に変更して、効率よくオゾンを装置外部へ放出できるとされている。
【特許文献１】特開平２−３４８６６号公報
【発明の開示】
【発明が解決しようとする課題】
【０００５】
冷却ファンは駆動回路により制御されるモータによって回転するように構成されている。駆動回路は、例えば、画像形成装置が印刷を開始した場合に冷却ファンの回転を開始させ、印刷を終了してから所定時間が経過した場合に、又は装置内部の温度が所定温度以下に低下した場合に冷却ファンの回転を停止させるようにモータを制御する。また、駆動回路は、画像形成装置の全体を制御する制御部からの指示に従って冷却ファンを回転又は停止させるようにモータを制御しているが、制御部が冷却ファンの回転を停止させるように駆動回路に指示し、駆動回路がモータを停止させるように制御した場合であっても、モータ自体は慣性によってしばらく回転を継続する。
【０００６】
モータは回転軸及びその軸受等を備えており、モータが動作していない場合、回転軸が軸受に対して安定して停止できる所定の停止位置で停止するように構成されている。このようなモータが駆動回路によって停止するように制御された場合、回転軸は、慣性によってしばらく回転を継続した後、所定の停止位置で停止する。
【０００７】
ここで、回転軸が所定の停止位置を通過した直後に停止した場合、回転軸は、一旦停止した後に、通過した停止位置へ戻ろうと、通常の回転方向とは逆の方向に回転を開始する。このように回転軸が通常の回転方向とは逆の方向に回転しているときに、制御部が駆動回路に動作開始を指示し、駆動回路がモータを回転させようと制御した場合、モータが回転できない状態になる場合がある。この場合、画像形成装置が画像の形成を開始しているにも拘わらず、モータ、即ち冷却ファンが回転しないため、装置内部の温度及びオゾン濃度が上昇し、形成された画像の画質の劣化、感光ドラム等の構成部品の寿命が短くなる等の問題が生じる。
【０００８】
このようにモータが適切に回転しない状況を回避するために、冷却ファンが実際に回転しているか否かを検出するロック機能を有する冷却ファンの使用もできる。ロック機能を有する冷却ファンは、冷却ファンが実際に回転しているか否かを制御部に通知するように構成されており、制御部は、冷却ファンが回転していないと通知された場合、適切な処理を行なって冷却ファンを確実に回転させることができる。しかし、このようなロック機能を有する冷却ファンは高価であるため、画像形成装置の製造コストを上昇させるという問題が生じる。
【０００９】
本発明は斯かる事情に鑑みてなされたものであり、その目的とするところは、１つの印刷ジョブの実行中に冷却ファンの回転を停止しないようにすることにより、ロック機能を有しない安価な冷却ファンを利用できる画像形成装置の提供である。
【００１０】
本発明の他の目的は、連続する複数の印刷ジョブの実行中に冷却ファンの回転が停止されない画像形成装置の提供である。
【００１１】
本発明の他の目的は、冷却ファンを停止させた場合に冷却ファンが完全に停止したとみなされるまで冷却ファンの回転の開始を指示しないようにして、冷却ファンが回転しない不具合の発生を回避できる画像形成装置の提供である。
【００１２】
本発明の他の目的は、比較的長い時間冷却ファンを回転させ続ける場合であっても、消費電力の低減及び冷却ファンの動作に伴って発生する風きり音の低減を図れる画像形成装置の提供である。
【課題を解決するための手段】
【００１３】
本発明に係る画像形成装置は、印刷ジョブを取得する取得手段と、該取得手段が取得した印刷ジョブに基づいて画像の形成を実行する形成手段と、冷却ファンと、該冷却ファンを回転させる駆動手段と、前記冷却ファンの回転を開始及び停止させるように前記駆動手段を制御する制御手段とを備える画像形成装置において、前記制御手段は、前記形成手段が１つの印刷ジョブに基づいて画像の形成を実行している間、前記冷却ファンを連続して回転させるように前記駆動手段を制御する構成としてあることを特徴とする。
【００１４】
本発明によれば、取得した印刷ジョブに基づいて画像の形成を実行する画像形成装置は、１つの印刷ジョブに基づいて画像の形成を実行している間は、冷却ファンを連続して回転させる。
【００１５】
本発明に係る画像形成装置は、前記制御手段は、印刷ジョブに基づく画像の形成が終了した後の前記冷却ファンの回転中に前記取得手段が印刷ジョブを取得した場合、前記冷却ファンを継続して回転させるように前記駆動手段を制御する構成としてあることを特徴とする。
【００１６】
本発明によれば、画像形成装置は、画像の形成が終了した場合であっても、冷却ファンを回転させているときに新たな印刷ジョブを取得した場合、冷却ファンを停止させずに継続して回転させる。
【００１７】
本発明に係る画像形成装置は、印刷ジョブに基づく画像の形成が終了した後に前記制御手段が前記冷却ファンの回転を停止させるように前記駆動手段を制御した場合に所定時間の計時を開始する計時手段を備え、前記制御手段は、前記計時手段が所定時間の計時を終了する前に前記取得手段が印刷ジョブを取得した場合、前記計時手段が所定時間の計時を終了した後に前記冷却ファンの回転を開始させるように前記駆動手段を制御する構成としてあることを特徴とする。
【００１８】
本発明によれば、画像形成装置は、冷却ファンの回転を停止させてから所定時間が経過するまでの間に新たな印刷ジョブを取得した場合、所定時間が経過した後に冷却ファンの回転を開始させる。
【００１９】
本発明に係る画像形成装置は、前記駆動手段は、前記冷却ファンを複数の回転速度のいずれかひとつで回転させるように構成されており、前記制御手段は、前記形成手段が印刷ジョブに基づいて画像の形成を実行する場合、前記複数の回転速度のうちの遅い回転速度で前記冷却ファンを回転させるように前記駆動手段を制御する構成としてあることを特徴とする。
【００２０】
本発明によれば、複数の回転速度での回転が可能な冷却ファンを用いた画像形成装置は、印刷ジョブに基づいて画像の形成を実行している場合、遅い回転速度で冷却ファンを連続して回転させる。
【発明の効果】
【００２１】
本発明の画像形成装置は、１つの印刷ジョブに基づいて画像の形成を実行している場合、冷却ファンを連続して回転させることにより、例えば、１つの印刷ジョブに基づいて複数枚の記録紙への画像の形成を行なう場合であっても、全ての記録紙への画像の形成が完了するまで冷却ファンの回転を継続する。よって、ロック機能を有しない冷却ファンを用いた画像処理装置においても、１つの印刷ジョブの実行中に冷却ファンの回転が停止されることがなく、装置内部の空気を確実に装置外部へ放出できるので、装置内部を良好に冷却できると共に、装置内部に発生したオゾンを良好に装置外部へ排出できる。
【００２２】
本発明の画像形成装置は、複数の印刷ジョブを連続して実行する場合には全ての印刷ジョブの実行が終了するまで冷却ファンの回転を継続する。よって、複数の印刷ジョブの実行中に冷却ファンの回転が停止されることがなく、装置内部の空気を確実に装置外部へ放出できるので、装置内部を良好に冷却できると共に、装置内部に発生したオゾンを良好に装置外部へ排出できる。
【００２３】
本発明の画像形成装置は、冷却ファンの回転を停止させてから所定時間が経過するまでの間に新たな印刷ジョブを取得した場合であっても、所定時間が経過するまで冷却ファンを回転させないことにより、冷却ファンが完全に停止したとみなされるまで冷却ファンの回転の開始を指示しない。よって、冷却ファンが一旦停止された後に回転しない不具合の発生を回避できる。
【００２４】
本発明の画像形成装置は、印刷ジョブに基づいて画像の形成を実行している場合、遅い回転速度で冷却ファンを連続して回転させる。よって、比較的長い時間冷却ファンを回転させ続ける場合であっても、半速制御のような減速制御によって遅い回転速度で冷却ファンを制御して、消費電力の低減及び冷却ファンの動作に伴って発生する風きり音の低減を図れる。
【発明を実施するための最良の形態】
【００２５】
以下に、本発明に係る画像形成装置を、その実施形態であるプリンタを示す図面に基づいて詳述する。図１は本発明に係る画像形成装置を適用した本実施形態のプリンタの構成例を示すブロック図である。本実施形態のプリンタ１は、制御部１０、ＲＯＭ１１、ＲＡＭ１２、操作部１３、表示部１４、外部との通信を行なうための通信部１５、画像メモリ１６、画像形成部１７、冷却ファン２０を回転させるモータ（駆動手段）１９の駆動回路１８等を備えており、それぞれはバス１ａを介して相互に接続されている。
【００２６】
制御部１０は、具体的にはＣＰＵ(Central Processing Unit)又はＭＰＵ（Micro Processor Unit）等で構成されており、自身に備えるタイマ１０ａによって所定のタイミングを計時しながら、バス１ａを介して接続される上述したようなハードウェア各部を制御すると共に、ＲＯＭ１１に格納された制御プログラムに従って、種々のソフトウェア的機能を実現する。ＲＯＭ１１は、プリンタ１を本発明の画像形成装置として動作させるために必要な種々の制御プログラムを予め記憶している。ＲＡＭ１２は、ＳＲＡＭ（Static Random Access Memory ）又はフラッシュメモリ等で構成され、制御部１０による制御プログラムの実行時に発生するデータを一時的に記憶する。
【００２７】
操作部１３は、ユーザがプリンタ１を操作するために必要な各種のキーを備えている。ユーザにより各キーが操作された場合、操作部１３は操作されたキーに対応した制御信号を制御部１０へ送出し、制御部１０は操作部１３から取得した制御信号に対応した処理を実行する。表示部１４は、例えば液晶ディスプレイ（ＬＣＤ）で構成されており、プリンタ１の動作状況、ユーザに通知すべき情報、操作部１３から入力された情報等を表示する。尚、表示部１４をタッチパネル方式として、操作部１３の各種のキーのうちの一部又は全部を代用することもできる。
【００２８】
通信部１５は、例えばＬＡＮ（Local Area Network）のようなネットワーク（図示せず）に接続するためのインタフェースであり、ネットワークに接続されている外部の装置からネットワークを介して印刷ジョブを取得する取得手段として動作する。制御部１０は、通信部１５が外部の装置から印刷ジョブを取得した場合、取得した印刷ジョブを展開し、印刷対象の画像データを取得して画像メモリ１６に記憶させる。
画像メモリ１６は、例えばＤＲＡＭ（Dynamic Random Access Memory）により構成されており、通信部１５によって取得された印刷ジョブを制御部１０によって展開して得られた画像データを一時的に記憶する。画像メモリ１６に一時的に記憶された画像データは、制御部１０からの制御に従って画像形成部１７へ転送される。
【００２９】
画像形成部１７は、例えば電子写真方式のプリンタ装置であって、画像メモリ１６から転送されてくる画像データに基づく画像を、ハードコピーとしてＡ３縦，Ｂ４縦，Ａ４縦，Ｂ５横及びＡ５横等の各サイズの記録用紙又はＯＨＰ(Over Head Projector)シート等から最適なサイズのものを選択して記録する。従って、画像形成部１７は、通信部１５が取得した印刷ジョブに基づいて画像の形成を実行する形成手段として動作する。なお、画像形成部１７としては、電子写真方式だけでなく、インクジェット方式、熱転写方式、昇華方式等のプリンタ装置も利用できる。
【００３０】
駆動回路１８は、制御部１０からの指示に従って、モータ１９、換言すれば冷却ファン２０を回転させ、また停止させる。
【００３１】
上述した構成により、本実施形態のプリンタ１は、通信部１５によってネットワークを介して外部の装置から取得した印刷ジョブに基づいて、画像形成部１７によって画像を形成するネットワークプリンタとして機能する。また、上述した構成のほかに、原稿を読み取って画像データを取得する読取手段を備え、原稿から読み取った画像データに基づく画像を画像形成部１７によって記録用紙に複写する複写機能、原稿から読み取った画像データを通信部１５によってネットワークを介して外部の装置へ送信するネットワークスキャナ機能等を更に有する複合機にも、本発明は適用できる。
【００３２】
本実施形態のプリンタ１は、ネットワークを介して外部の装置から取得した印刷ジョブに基づいて画像の形成を実行する場合、冷却ファン２０を回転させて、画像の形成の際に装置内部で発生する熱を外部へ放出するように構成されている。具体的には、制御部１０は、通信部１５が外部の装置から印刷ジョブを取得した場合、取得した印刷ジョブに基づいて画像形成部１７に画像の形成を実行させた場合、冷却ファン２０を回転させるように駆動回路１８を制御する。また、制御部１０は、画像形成部１７による画像の形成が終了した場合、冷却ファン２０を停止させるように駆動回路１８を制御する。
【００３３】
図２は制御部１０による制御を説明するためのタイミングチャートである。図２において横軸Ｔは時間を示している。通信部１５が外部の装置から印刷ジョブを取得した場合、制御部１０は、図２（ａ）に示すように、印刷ジョブを実行し、取得した印刷ジョブを展開して画像メモリ１６に記憶させ、印刷ジョブに含まれる各画像データに基づく画像の形成、即ち印刷を画像形成部１７によって実行する。なお、図２（ａ）では、１つの印刷ジョブに４枚の画像データが含まれている例について説明している。
【００３４】
制御部１０は、画像形成部１７による画像の形成（印刷）を実行させた場合、自身に内蔵されているタイマ１０ａによって所定時間ｔ０の計時を開始し、所定時間ｔ０が経過した時点で駆動回路１８を制御して冷却ファン２０の回転を開始させる。また、制御部１０は、画像形成部１７によって１つの印刷ジョブに基づく印刷を終了した場合、タイマ１０ａによって所定時間ｔ１の計時を開始し、所定時間ｔ１が経過した後に駆動回路１８を制御して冷却ファン２０の回転を停止させる。即ち、制御部１０は、画像形成部１７が１つの印刷ジョブに基づいて複数の画像の形成を実行している間、冷却ファン２０を連続して回転させるように駆動回路１８を制御する。
【００３５】
このように、１つの印刷ジョブに基づいて画像の形成を実行している間、冷却ファン２０を連続して回転させることにより、冷却ファン２０の回転を停止させた直後に回転を開始させた場合に冷却ファン２０が回転しないという不具合の発生を回避できる。よって、印刷ジョブに含まれる各画像データに基づいて複数枚の記録用紙全てへの画像の形成が完了するまで冷却ファン２０の回転を継続できるので、装置内部に発生した熱を確実に装置外部へ放出でき、装置内部を良好に冷却できる。また、コロナ転写方式の転写器を採用している場合には、装置内部に発生したオゾンを良好に装置外部へ排出できる。
【００３６】
次に、プリンタ１が複数の印刷ジョブを連続して取得した場合の制御部１０による制御について説明する。なお、ここでは２つの印刷ジョブを連続して取得した例について説明する。通信部１５が外部の装置から第１の印刷ジョブを取得した場合、制御部１０は、図２（ｂ）に示すように、第１の印刷ジョブを実行し、取得した印刷ジョブに含まれる各画像データに基づく第１の印刷を画像形成部１７によって実行する。なお、図２（ｂ）では、それぞれの印刷ジョブに含まれる各画像データに基づく印刷をまとめて図示している。
【００３７】
制御部１０は、画像形成部１７による第１の印刷を実行させた場合、第１の印刷の実行が開始された時点から所定時間ｔ０が経過した時点で駆動回路１８を制御して冷却ファン２０の回転を開始させる。また、制御部１０は、画像形成部１７によって第１の印刷を終了した場合、図２（ｂ）中の破線の四角で囲んだ「第１の冷却ファン回転」で示すように、通常は所定時間ｔ１が経過した後に駆動回路１８を制御して冷却ファン２０の回転を停止させる。しかし、図２（ｂ）に示した例では、第１の印刷ジョブを終了してから所定時間ｔ１が経過する前に次の第２印刷ジョブを通信部１５が取得しており、この場合、制御部１０は、冷却ファン２０の回転を停止させない。
【００３８】
即ち、制御部１０は、第１の印刷ジョブの実行が開始されてから所定時間ｔ０が経過した時点で冷却ファン２０の回転を開始させ、第２の印刷ジョブが終了してから所定時間ｔ１が経過した時点で冷却ファン２０の回転を停止させる。従って、本実施形態では、制御部１０は、直前の印刷が終了している場合であっても、冷却ファン２０を回転させるように駆動回路１８を制御しているときに次の印刷ジョブを通信部１５が取得した場合、冷却ファン２０を継続して回転させるように駆動回路１８を制御する。
【００３９】
このように、印刷ジョブの実行中に次の印刷ジョブを取得した場合、又は印刷ジョブの実行が終了した時点から時間ｔ１が経過するまでに次の印刷ジョブを取得した場合、全ての印刷ジョブに基づいて画像の形成を実行している間、冷却ファン２０を連続して回転させることにより、全ての印刷ジョブに含まれる各画像データに基づいて複数枚の記録用紙全てへの画像の形成が完了するまで冷却ファン２０の回転を継続できる。よって、装置内部に発生した熱を確実に装置外部へ放出でき、装置内部を良好に冷却できる。また、コロナ転写方式の転写器を採用している場合には、装置内部に発生したオゾンを良好に装置外部へ排出できる。
【００４０】
次に、制御部１０による第１の印刷ジョブの終了から時間ｔ１が経過した時点よりも後に、次の第２の印刷ジョブを通信部１５が取得した場合の制御部１０による制御について説明する。通信部１５が外部の装置から第１の印刷ジョブを取得した場合、制御部１０は、図２（ｃ）に示すように、第１の印刷ジョブを実行し、取得した印刷ジョブに含まれる各画像データに基づく第１の印刷を画像形成部１７によって実行する。なお、図２（ｃ）でも、それぞれの印刷ジョブに含まれる各画像データに基づく印刷をまとめて図示している。
【００４１】
制御部１０は、画像形成部１７による第１の印刷を実行させた場合、第１の印刷の実行が開始されてから所定時間ｔ０が経過した時点で駆動回路１８を制御して冷却ファン２０の回転（第１の冷却ファン回転）を開始させる。また、制御部１０は、画像形成部１７による第１の印刷を終了した場合、所定時間ｔ１が経過した時点で駆動回路１８を制御して冷却ファン２０の回転（第１の冷却ファン回転）を停止させる。ここで、制御部１０は、冷却ファン２０の回転を停止させるように駆動回路１８を制御した場合、タイマ（計時手段）１０ａによって所定時間ｔ２（例えば、数秒から数十秒程度）の計時を開始する。
【００４２】
図２（ｃ）に示すように、制御部１０が冷却ファン２０の回転を停止させるように駆動回路１８を制御してから所定時間ｔ２が経過する前の時点（第１の印刷ジョブが終了した時点から時間ｔ（ｔ１＋ｔ２＞ｔ＞ｔ１）が経過した時点）で次の第２の印刷ジョブを通信部１５が取得した場合、制御部１０は、取得した第２の印刷ジョブの実行を遅らせる。即ち、通信部１５が第２の印刷ジョブを取得した場合、図２（ｃ）中の破線の四角で囲んだ「第２印刷実行」及び「第２の冷却ファン回転」で示すように、通常は、制御部１０は、第２の印刷ジョブに基づく第２の印刷を実行すると共に、所定時間ｔ０が経過した後に駆動回路１８を制御して冷却ファン２０の回転を開始させる。
【００４３】
しかし、図２（ｃ）に示した例では、制御部１０は、第１の印刷に基づく冷却ファン２０の回転を停止させるように駆動回路１８を制御してから所定時間ｔ２が経過するまでの間は次の第２の印刷ジョブに基づく第２の印刷を実行せず、所定時間ｔ２が経過した後に次の第２の印刷ジョブに基づく第２の印刷を実行する。従って、本実施形態では、制御部１０は、冷却ファン２０の回転を停止させるように駆動回路１８を制御してから所定時間ｔ２が経過する前に次の印刷ジョブを通信部１５が取得した場合、所定時間ｔ２が経過した後に冷却ファン２０を回転させるように駆動回路１８を制御する。
【００４４】
なお、制御部１０が冷却ファン２０の回転を停止させるように駆動回路１８を制御してから所定時間ｔ２が経過した後に、通信部１５が印刷ジョブを取得した場合、制御部１０は、次の印刷ジョブを実行すると共に、印刷ジョブの実行から所定時間ｔ０後に冷却ファン２０の回転を開始させ、印刷ジョブの終了から所定時間ｔ１後に冷却ファン２０の回転を停止させる。
【００４５】
このように、印刷ジョブの実行に基づいて回転させた冷却ファン２０の回転を停止させた場合には所定時間ｔ２が経過するまでの間、即ち、冷却ファン２０が完全に停止したとみなされるまでの間は冷却ファン２０の回転を開始させないことにより、冷却ファン２０の回転を停止させた直後に回転を開始させた場合に冷却ファン２０が回転しないという不具合の発生を回避できる。よって、装置内部に発生した熱を確実に装置外部へ放出でき、装置内部を良好に冷却できる。また、コロナ転写方式の転写器を採用している場合には、装置内部に発生したオゾンを良好に装置外部へ排出できる。
【００４６】
以下に、上述した構成のプリンタ１による印刷についてフローチャートに基づいて説明する。図３及び図４はプリンタ１による印刷の手順を示すフローチャートである。なお、以下の処理は、ＲＯＭ１１に格納されている制御プログラムに従って制御部１０により実行される。
【００４７】
プリンタ１が起動して通常動作を行なっている場合、制御部１０は、通信部１５を介して外部の装置から印刷ジョブを取得したか否かを判断しており（Ｓ１）、印刷ジョブを取得していない場合（Ｓ１：ＮＯ）、印刷ジョブを取得するまで待機する。印刷ジョブを取得した場合（Ｓ１：ＹＥＳ）、制御部１０は、印刷ジョブを展開することにより画像データを取得して画像メモリ１６に記憶させる（Ｓ２）。そして、制御部１０は、ステップＳ２で画像メモリ１６に記憶した画像データを画像形成部１７へ転送し、画像データに基づく印刷を開始すると共にタイマ１０ａによる所定時間ｔ０の計時を開始する（Ｓ３）。
【００４８】
制御部１０は、印刷を開始した後、タイマ１０ａによる計時結果により所定時間ｔ０が経過したか否かを判断する（Ｓ４）。所定時間ｔ０が経過していない場合（Ｓ４：ＮＯ）、制御部１０は所定時間ｔ０が経過するまで待機する。所定時間ｔ０が経過した場合（Ｓ４：ＹＥＳ）、制御部１０は、駆動回路１８を制御して冷却ファン２０の回転を開始させる（Ｓ５）。
【００４９】
制御部１０は、ステップＳ３で開始した印刷が終了したか否かを判断し（Ｓ６）、終了していない場合（Ｓ６：ＮＯ）、終了するまで待機する。印刷が終了した場合（Ｓ６：ＹＥＳ）、制御部１０は、タイマ１０ａによる所定時間ｔ１の計時を開始し（Ｓ７）、所定時間ｔ１が経過したか否かを判断する（Ｓ８）。所定時間ｔ１が経過した場合（Ｓ８：ＹＥＳ）、制御部１０は、駆動回路１８を制御して冷却ファン２０の回転を停止させると共にタイマ１０ａをリセットして新たに所定時間ｔ２の計時を開始し（Ｓ９）、後述するステップＳ１３へ処理を移行する。
【００５０】
しかし、所定時間ｔ１が経過するまでは（Ｓ８：ＮＯ）、制御部１０は、通信部１５が外部の装置から次の印刷ジョブを取得したか否かを判断する（Ｓ１０）。次の印刷ジョブを取得していない場合（Ｓ１０：ＮＯ）、制御部１０はステップＳ８に処理を戻して所定時間ｔ１が経過したか否かを再度判断する（Ｓ８）。所定時間ｔ１が経過するまでに次の印刷ジョブを取得した場合（Ｓ１０：ＹＥＳ）、制御部１０は、取得した印刷ジョブを展開することにより画像データを取得して画像メモリ１６に記憶させる（Ｓ１１）。制御部１０は、画像メモリ１６に記憶させた画像データを画像形成部１７へ転送し、画像データに基づく印刷を開始する（Ｓ１２）。この後、制御部１０はステップＳ６へ処理を戻し、ステップＳ１２で開始した印刷が終了したか否かを判断する。このように、印刷を終了してから所定時間ｔ１が経過する前に次の印刷ジョブを取得した場合、制御部１０は、冷却ファン２０の回転を停止させない。
【００５１】
駆動回路１８を制御して冷却ファン２０の回転を停止させた場合（Ｓ９）、制御部１０は、タイマ１０ａによる所定時間ｔ２の計時を既に開始しているので、所定時間ｔ２が経過したか否かを判断する（Ｓ１３）。所定時間ｔ２が経過した場合（Ｓ１３：ＹＥＳ）、制御部１０は、ステップＳ１へ処理を戻し、通信部１５によって順次取得される印刷ジョブに基づく印刷を実行する。
【００５２】
しかし、所定時間ｔ２が経過するまでは（Ｓ１３：ＮＯ）、制御部１０は、通信部１５が外部の装置から次の印刷ジョブを取得したか否かを判断する（Ｓ１４）。次の印刷ジョブを取得していない場合（Ｓ１４：ＮＯ）、制御部１０はステップＳ１３に処理を戻して所定時間ｔ２が経過したか否かを再度判断する（Ｓ１３）。次の印刷ジョブを取得した場合（Ｓ１４：ＹＥＳ）、制御部１０は、取得した印刷ジョブを展開することにより画像データを取得して画像メモリ１６に記憶させ（Ｓ１５）、所定時間ｔ２が経過したか否かを判断する（Ｓ１６）。
【００５３】
所定時間ｔ２が経過していない場合（Ｓ１６：ＮＯ）、制御部１０は所定時間ｔ２が経過するまで待機し、所定時間ｔ２が経過した場合（Ｓ１６：ＹＥＳ）、ステップＳ３へ処理を移行する。そして、制御部１０は、ステップＳ１５で画像メモリ１６に記憶させた画像データを画像形成部１７へ転送し、画像データに基づく印刷を開始すると共にタイマ１０ａによる所定時間ｔ０の計時を開始し（Ｓ３）、ステップＳ４以降の処理を繰り返す。このように、冷却ファン２０の回転を停止させてから所定時間ｔ２が経過する前に次の印刷ジョブを取得した場合、制御部１０は、印刷ジョブに基づく印刷及び冷却ファン２０の回転の開始を一時的に延期する。
【００５４】
上述した実施形態では、印刷ジョブに従って行なう画像の形成の実行及び終了に基づいて冷却ファン２０の回転を開始及び終了させる構成のプリンタ１について説明した。このような構成により、本実施形態のプリンタ１は、ロック機能が無い場合であっても冷却ファン２０が一旦停止した後に回転しないという不具合の発生を抑制できる。
【００５５】
また、例えば、複数の回転速度での回転が可能なモータ１９を利用し、回転速度を適宜切り替えて冷却ファン２０を回転させるようにモータ１９及び駆動回路１８を構成し、プリンタ１が外部の装置から取得した印刷ジョブに基づいて画像の形成を実行する場合には、遅い回転速度で冷却ファン２０を連続して回転させてもよい。この場合、比較的長い時間冷却ファン２０を回転させ続けることになるが、半速制御のような減速制御によって遅い回転速度で冷却ファン２０を制御して、消費電力の低減及び冷却ファン２０の動作に伴って発生する風きり音の低減を図れると共に、装置内部で発生した熱を装置外部へ確実に排出できる。
【図面の簡単な説明】
【００５６】
【図１】プリンタの構成例を示すブロック図である。
【図２】制御部による制御を説明するためのタイミングチャートである。
【図３】プリンタによる印刷の手順を示すフローチャートである。
【図４】プリンタによる印刷の手順を示すフローチャートである。
【符号の説明】
【００５７】
１  プリンタ（画像形成装置）
１０  制御部
１０ａ  タイマ（計時手段）
１５  通信部（取得手段）
１７  画像形成部（形成手段）
１８  駆動回路（制御手段）
１９  モータ（駆動手段）
２０  冷却ファン
【図１】
2008292679.tif 000003
【図２】
2008292679.tif 000004
【図３】
2008292679.tif 000005
【図４】
2008292679.tif 000006